(57)【要約】  本発明は、所定の長手方向（Ｙ−Ｙ）に沿って上端（１ａ）と下端（１ｂ）との間に延在し、互いに反対側にある側部（１ｃ、１ｄ）を備える中央部分（１）を備える、乳幼児を運搬するためのキャリアに関する。キャリア（１００）は、中央部分（１）の下端（１ｂ）と実質的に一致して取り付けられ、使用者の脇腹を囲むように中央部分（１）の側部（１ｃ、１ｄ）から横方向に突き出るベルト（１０）をさらに備える。第１のブレース（２１）および第２のブレース（２２）は、中央部分（１）の上端（１ａ）と下端（１ｂ）との間の実質的に中間位置において中央部分（１）に取り付けられる。ブレース（２１、２２）は、中央部分（１）の側部（１ｃ、１ｄ）から横方向に突き出し、使用者の肩に巻き付き、使用者の背中で「Ｘ字形」に交差し、下端（１ｂ）で中央部分（１）を囲むのに十分な長さを有する。さらに、ブレース（２１、２２）の自由端は、ベルト（１０）に重ね合わさって使用者の腹部を脱着可能に拘束するのに適している。キャリア（１００）は、中央部分（１）の側部（１ｃ、１ｄ）のそれぞれに連結されブレース（２１、２２）とベルト（１０）との間に配置される第１のボタン穴（４１）および第２のボタン穴（４２）をさらに備える。また、第１のボタン穴（４１）および第２のボタン穴（４２）は、中央部分（１）の側部（１ｃ、１ｄ）とブレース（２１、２２）との間の安定した結合を得るために、第２のブレース（２２）および第１のブレース（２１）のためのそれぞれの輪を画定する。【選択図】図１
2013500107.tif 000002
【特許請求の範囲】
【請求項１】
乳幼児を運搬するためのキャリア（１００）において、
所定の長手方向（Ｙ−Ｙ）に沿って上端（１ａ）と下端（１ｂ）との間に延在し、互いに反対側にある側部（１ｃ、１ｄ）を備えた中央部分（１）と、
前記中央部分（１）の前記下端（１ｂ）と実質的に一致して取り付けられ、使用者の脇腹を囲むように前記中央部分（１）の前記側部（１ｃ、１ｄ）から横方向に突き出たベルト（１０）と、
前記中央部分（１）の前記上端（１ａ）と前記下端（１ｂ）との間の実質的に中間位置で前記中央部分（１）に取り付けられた第１のブレース（２１）および第２のブレース（２２）であって、前記ブレース（２１、２２）は、前記中央部分（１）の前記側部（１ｃ、１ｄ）から横方向に突き出し、前記使用者の肩に巻き付き、前記使用者の背中で「Ｘ字形」に交差し、前記下端（１ｂ）で前記中央部分（１）を囲むのに十分な長さを有し、前記ブレース（２１、２２）の自由端は、前記ベルト（１０）に重ね合わさって前記使用者の腹部を脱着可能に拘束するのに適した、第１のブレース（２１）および第２のブレース（２２）と、
前記中央部分（１）の前記側部（１ｃ、１ｄ）のそれぞれに連結され、前記ブレース（２１、２２）と前記ベルト（１０）との間に配置された第１のボタン穴（４１）および第２のボタン穴（４２）であって、前記第１のボタン穴（４１）および前記第２のボタン穴（４２）は、前記中央部分（１）の前記側部（１ｃ、１ｄ）と前記ブレース（２１、２２）との間に安定した結合を得るために、前記第２のブレース（２２）および前記第１のブレース（２１）のためのそれぞれの輪を画定する、第１のボタン穴（４１）および第２のボタン穴（４２）とを備えた、キャリア（１００）。
【請求項２】
請求項１に記載のキャリア（１００）において、
前記中央本体（１）は、前記中央部分（１）の前記上端（１ａ）から突き出たラペル（２）を備え、前記ラペル（２）は、前記ラペル（２）の上端（２ａ）に取り付けられ、上部で前記ラペル（２）から突き出た第１のベルト（３１）および第２のベルト（３２）を備え、前記ベルト（３１、３２）は、前記第１のベルト（３１）および前記第２のベルト（３２）を前記第１のブレース（２１）および前記第２のブレース（２２）にそれぞれ連結する結合手段（３３）を備えた、キャリア（１００）。
【請求項３】
請求項１または２に記載のキャリア（１００）において、
重ね合わさって前記ベルト（１０）を囲むように前記部分（１）の前記側部（１ｃ、１ｄ）で前記ベルト（１０）にそれぞれ連結された第１のバンド（５１）および第２のバンド（５２）を備え、前記バンド（５１、５２）の自由端は互いの着実な拘束のために脱着可能に連結されるのに適した、キャリア（１００）。
【請求項４】
請求項１乃至３のいずれか一項に記載のキャリア（１００）において、
前記ベルト（１０）の自由端（１１ａ、１１ｂ）は、前記長手方向（Ｙ−Ｙ）に実質的に垂直な直交方向（Ｘ−Ｘ）に沿って前記中央部分（１）から横方向に突き出し、前記ベルト（１０）は１１０ｃｍ〜１３０ｃｍの長さを有する、キャリア（１００）。
【請求項５】
請求項４に記載のキャリア（１００）において、
前記ベルト（１０）の前記自由端（１１ａ、１１ｂ）にベルクロ締め手段（１５）を備えた、キャリア（１００）。
【請求項６】
請求項１乃至５のいずれか一項に記載のキャリア（１００）において、
前記中央部分（１）は、前記上端（１ａ）と前記下端（１ｂ）との間に４５ｃｍ〜７５ｃｍの長さで延在し、３２ｃｍ〜４５ｃｍの幅を有し、前記中央部分（１）が実質的に長方形を有する、キャリア（１００）。
【請求項７】
請求項１乃至６のいずれか一項に記載のキャリア（１００）において、
前記ブレース（２１、２２）は、前記直交方向（Ｘ−Ｘ）に対して斜め方向（Ｘ’−Ｘ’）に沿って前記中央本体（１）の前記側部（１ｃ、１ｄ）から突き出る、キャリア（１００）。
【請求項８】
請求項７に記載のキャリア（１００）において、
前記ブレース（２１、２２）のそれぞれは、前記直交方向（Ｘ−Ｘ）に対して約４５°の角度を形成して延在する、キャリア（１００）。
【請求項９】
請求項１乃至８のいずれか一項に記載のキャリア（１００）において、
前記ブレース（２１、２２）のそれぞれは、１５０ｃｍ〜１７０ｃｍの長さを有する、キャリア（１００）。
【発明の詳細な説明】
【技術分野】
【０００１】
本発明は、請求項１のプリアンブルによる乳幼児を運搬するためのキャリアに関する。
【背景技術】
【０００２】
以下の説明および特許請求の範囲において、「乳幼児」は、年齢が約０〜３歳、体重が約１５ｋｇ未満の人を意味する。一方、「新生児」は、年齢が０〜６カ月、体重が５ｋｇ未満の人を意味する。
【０００３】
乳幼児の運搬に適したキャリアは、当業界で既知であり、典型的には、乳幼児を保持する中央バッグ部分を備え、そこに使用者の脇腹に固定されるベルトが取り付けられる。さらに、使用者の肩に巻き付き互いに結ばれる一対のブレースが、中央バッグ部分を支持し、使用者の腹部または背中の高さでの乳幼児の運搬を可能にする。
【０００４】
これらは機能的で人間工学的であるが、上述のキャリアは、予め決められた位置に限った乳幼児の運搬に限定されている。そのうちの一つは、例えば、乳幼児が使用者と向き合って運搬される位置であり、中央キャリア部分がシートならびに乳幼児の背中に対する支持を形成し、一方脚は広げられて乳幼児を運搬する人の体近くに垂れさがる。そうした運搬構成では、乳幼児は、使用者の胸に寄りかかって顔が使用者の体の方に向く状態になる。
【０００５】
他の位置は、バックパックのようにキャリアを使用することで得られる。バッグは、使用者の背中の高さに配置され、それによって乳幼児を顔が使用者の背中の方に向く状態で運搬することができるようになる。この場合、新生児は、前述の運搬構成で述べたのと同様の座った姿勢で保持される。
【０００６】
したがって、従来技術のキャリアは、乳幼児を実質的に立った姿勢で配置する必要がある予め決められた運搬構成に限定される。
【発明の概要】
【発明が解決しようとする課題】
【０００７】
上述の観点から、乳幼児を立った姿勢に加えて他の姿勢でも運搬でき、乳幼児だけでなく使用者の快適さも確実にすると同時に乳幼児の安全な運搬を確実にするキャリアが必要とされている。
【０００８】
本発明の目的は、上述の要求を満たすと同時に従来技術に関して先に述べた欠点を解決するような機能的特徴を有するキャリアを提供することである。
【課題を解決するための手段】
【０００９】
そうした目的は、請求項１に記載の乳幼児を運搬するためのキャリアによって達成される。
本発明によるキャリアのさらなる特徴および利点は、添付の図面を参照して非限定的な例として挙げられるその好ましい実施形態の以下の説明からより明確に明らかになるであろう。
【図面の簡単な説明】
【００１０】
【図１】本発明によるキャリアの斜視図である。
【図２】乳幼児が「蛙のような」運搬位置にある図１のキャリアの斜視図である。
【図３】新生児が「揺りかごのような」運搬位置にある図１のキャリアの斜視図である。
【図４】乳幼児が「バックパックのような」運搬位置にある図１のキャリアの斜視図である。
【発明を実施するための形態】
【００１１】
添付の図面を参照すると、符号１００は、本発明による乳幼児を運搬するためのキャリアの全体を示す。
キャリア１００は、所定の長手方向Ｙ−Ｙに沿って上端１ａと下端１ｂとの間に延在する中央部分１を備え、それに対して、互いに反対側にある側部１ｃ、１ｄが決められる。
【００１２】
中央部分１は、そうした中央部分１を実質的に長方形の形状に仕上げるために形作られる単一の織物部分から形成されてよいことに注目すべきである。しかし、可能な代替実施形態によれば、中央部分１は、同様または異なる材料の異なるパネルの組み合わせによって形成されてもよいことに留意されたい。
【００１３】
好ましくは、中央部分１は、上端１ａと下端１ｂとの間に、長さ４５ｃｍ〜７５ｃｍ延在する。
好ましくは、中央部分１は、幅３２ｃｍ〜４５ｃｍを有する。
【００１４】
キャリア１００は、中央部分１の下端１ｂと実質的に一致して取り付けられるベルト１０を備える。ベルト１０と中央部分１との間の取り付けは、ステッチ、または例えばボタン、クリップ、ベルクロおよび／もしくは均等の連結手段のような連結手段によって得られてよい。
【００１５】
好ましくは、ベルト１０は、長さ１１０ｃｍ〜１３０ｃｍを有する。
一実施形態では、ベルト１０は、上述の長手方向Ｙ−Ｙに実質的に垂直な直交方向Ｘ−Ｘに従って中央部分１の側部１ｃ、１ｄから横方向に突き出る２本のバンド部分１１、１２を備える。実施例では、バンド部分１１、１２は、中央部分１の下端１ｂに配置され、例えばステッチによってその部分に取り付けられる。２本のバンド部分１１、１２の自由端１１ａ、１１ｂには、使用者の脇腹を囲むために２本のバンド部分１１、１２の自由端１１ａ、１１ｂの間における適当な脱着可能連結を確実にすることができるベルクロ締め手段１５が設けられる。一代替実施形態では、締め手段１５は、バンド部分１１、１２を互いに脱着可能に取り付けることを目的とするどんな場合にも適する種類の異なるものであってもよい。
【００１６】
好ましくは、各バンド部分ベルト（１１、１２）は、長さ４０ｃｍ〜５０ｃｍを有する。
図１に示されるように、キャリア１００は、中央部分１の上端１ａと下端１ｂとの間の実質的に中間位置において中央部分１に取り付けられる第１のブレース２１および第２のブレース２２を備える。
【００１７】
好ましい一実施形態では、第１のブレース２１および第２のブレース２２は、上端１ａおよび下端１ｂにより近づくように中央部分１に取り付けられる。
一実施形態によれば、ブレース２１、２２は、長手方向Ｙ−Ｙに実質的に垂直な直交方向Ｘ−Ｘに従って、中央部分１の側部１ｃ、１ｄから横方向に突き出る。具体的には、キャリア１００に対して正面を向いた観察者の視点を基準にすると、ブレース２１が中央部分１の右側部１ｃから横方向に突き出るのに対してブレース２２が中央部分１の左側部１ｄから横方向に突き出る。
【００１８】
有利には、ブレース２１、２２は、使用者の肩に巻き付き、使用者の背中で「Ｘ字形」に交差し、その下端１ｂで中央部分１を囲むのに十分な長さを有する。
好ましくは、各ブレース２１、２２は、長さ１５０ｃｍ〜１７０ｃｍを有する。
【００１９】
有利には、ブレース２１、２２の自由端は、使用者の腹部で互いに脱着可能に結ぶのに適している。このように、添付の図面に示されるように、ブレース２１、２２は、使用者の背中において乳幼児の体重を均一に分散させることに加えて、それらの自由端によって作られる結び目でその乳幼児を支持する機能を有する。
【００２０】
図２の実施形態では、ブレース２１、２２の自由端は、使用者の背中、好ましくは使用者の臀部の真上で互いに脱着可能に結ぶのに適している。
好ましい実施形態によれば、ブレース２１、２２は、直行方向Ｘ−Ｘに対して斜め方向に従って中央部分１の側部１ｃ、１ｄから突き出る。
【００２１】
好ましくは、各ブレース２１、２２は、直行方向Ｘ−Ｘに対して３０°〜６０°、より好ましくは４０°〜５０°の角度を形成して延在する。有利には、そうしたブレース２１、２２の斜めの傾きによって、簡単で迅速なやり方で使用者の背中における前記「Ｘ字形」交差が得られるようになる。
【００２２】
キャリア１００は、中央部分１の側部１ｃ、１ｄとそれぞれ実質的に合うように配置される第１のボタン穴４１および第２のボタン穴４２を備える。具体的には、第１のボタン穴４１は中央部分１の左側部１ｃに配置され、一方第２のボタン穴４２は中央部分１の右側部１ｄに配置される。
【００２３】
図１に示されるように、各ボタン穴４１、４２は、それぞれのブレース２１、２２とベルト１０との間に配置される。
一実施形態では、ボタン穴４１、４２は、中央部分１の下端１ｂに対してブレース２１、２２により近い位置において側部１ｃ、１ｄに取り付けられる。
【００２４】
有利には、第１のボタン穴４１および第２のボタン穴４２は、第２のブレース２２および第１のブレース２１のためのそれぞれの輪を画定する。実際には、ブレース２１、２２が上述のやり方で使用者の背中で「Ｘ字形」に交差された後、第１のブレース２１および第２のブレース２２の自由端が、第２のボタン穴４２および第１のボタン穴４１にそれぞれ挿入され、中央部分１とブレース２１、２２との間に安定した結合が得られる。したがって、ボタン穴４１、４２は、それらをブレース２１、２２が通ることによって与えられる中央部分１の側部１ｃ、１ｄについての重要な支持拘束を形成し、中央部分１の側部１ｃ、１ｄに自然にできるオープンスペースが減少するため、（図３に示されるような）「揺りかご」位置と呼ばれる換言すれば使用者の胸に対して斜めに横たわる位置での乳幼児の絶対安全な運搬が可能になる。このように、乳幼児は、中央部分１から外に横方向に滑り出ないようにされる。
【００２５】
乳幼児の安全な運搬は、キャリア１００において、乳幼児が（図２に示されるように）中央部分１内で胸を使用者の胸にもたせ掛けて脚を縮める状態の「蛙のような」位置と呼ばれる位置にあるときにさらに確実にされる。
【００２６】
したがって、ボタン穴４１、４２によってもたらされる支持拘束のため、「揺りかごのような」運搬構造でも「蛙のような」運搬構造でも、乳幼児は安全であると同時に快適なやり方で配置される。
【００２７】
図１に示されるように、キャリア１００は、中央部分１の上端から突き出るラペル２を備える。ラペル２は、所定の長手方向Ｙ−Ｙに沿って上端２ａと中央部分１の上端１ａと一致する下端２ｂとの間に延在する。
【００２８】
一実施形態では、ラペル２は中央部分１の一部である。別法として、ラペル２は、例えば、ステッチ、フック、ボタン、クリップ、ベルクロおよび／または均等の連結手段によって中央部分１に取り付けられる別個の部分であってもよい。
【００２９】
ラペル２は、その上端２ａに取り付けられる第１のベルトおよび第２のベルト３２を備える。好ましくは、ベルト３１、３２は、その頂点でラペル２に取り付けられ、長手方向Ｙ−Ｙに沿ってラペル２の上端２ａから突き出る。
【００３０】
有利には、ベルト３１、３２は、第１のベルト３１を第１のブレース２１に、また第２のベルト３２を第２のブレース２２にそれぞれ取り付ける結合手段３３を備える。このように、特に「揺りかご」位置と呼ばれる位置において、乳幼児の頭部を支持するのに適した位置でラペル２を立てたままにするようにベルト３１、３２をブレース２１、２２に取り付けることが可能である。ラペル２は、さらに、乳幼児の頭部を寒さおよび／または風から守ることができる。
【００３１】
一バージョンでは、ベルト３１、３２は少なくとも部分的に伸縮性があってよい。
一バージョンでは、ラペル２は、その各頂点に取り付けられる一対の少なくとも２本のベルト３１、３２を備える。例えば、ラペル２の自由端に取り付けられる２本のベルト３１、およびラペル２の自由端に対して反対の端部に取り付けられる２本のベルト３２を設けることも可能である。このように、一対のベルト３１および一対のベルト３２をブレース２１、２２にそれぞれ取り付け、各対のベルト３１、３２を互いに結ぶこともできる。
【００３２】
本発明の他の実施形態によれば、キャリア１００は、中央部分１の側部１ｃ、１ｄでベルト１０に連結される第１のバンド５１および第２のバンド５２を備える。具体的には、バンド５１、５２の自由端は、脱着可能なやり方で相互に拘束するように互いに結ぶのに適している。
【００３３】
したがって、バンド５１、５２は、ベルト１０およびその上の結び目を囲むのに適している。実際には、バンド５１、５２は、ベルト１０を安全にし、万一結び目が誤って解けても中央部分１の下端１ｂを使用者の脇腹のそばで保持できるようにする。
【００３４】
説明から理解できるように、本発明によるキャリア１００は、要望を満たし、本説明の従来技術に関する前置きの部分で述べた欠点を克服することができる。
具体的には、キャリア１００は、異なる位置で乳幼児だけでなく新生児も運搬できるようにする。さらに、ボタン穴４１、４２があるため、中央部分１は絶対安全なやり方で新生児を「揺りかごのような」位置、「蛙のような」位置および「バックパック」位置で運搬するのに使用可能である。
【００３５】
また、斜めに配置されるブレース２１、２２のため、使用者にとって乳幼児の運搬が快適になる。というのも、そうした構成では、ブレースは乳幼児に十分に密着し使用者の背中に負担をかけることなく胴体全体に沿って体重を分散させるからである。
【００３６】
もちろん、当業者なら、特有の付随的な要求を満たすために、本発明によるキャリアにいくつかの変更および変形を加えることができ、その全ては以下の特許請求の範囲で定義される保護の範囲内に入るものである。
【図１】
2013500107.tif 000003
【図２】
2013500107.tif 000004
【図３】
2013500107.tif 000005
【図４】
2013500107.tif 000006
【国際調査報告】
2013500107.tif 000007
2013500107.tif 000008